(57)【要約】【課題】  袋状容器に必要に応じて注出口を取り付けて内容物を注出し、内容物を使い切ったら袋状容器から注出口を取り外すというように、一つの注出口を繰り返し使用することで、栄養剤や流動食等の流動性を有する内容物の摂取又は投与にかかる総コストを低減することができる注出器具を提供する。【解決手段】  注出口１に注出口１から袋状容器２側に向う尖頭部１３を有する穿孔部材１４を設け、穿設部材１４には内容物１９が注出口１へ通ずる流路１５を設けると共に、注出口１の袋状容器２と反対側には穿孔部材１４の中心軸の軸線と一致した中心軸を有する注出路１１が設け、注出口１の袋状容器２側には穿孔部材１４を収納する中空室１２を設け、該中空室１２の下端部の外側に平面形状が環状の固定部４を設ける。【選択図】  図１
2011178452.tif 000002
【特許請求の範囲】
【請求項１】
栄養剤や流動食等の流動性を有する内容物が封入されている袋状容器から前記内容物を注出する注出口と、前記袋状容器に取り付けるための固定部とを有する注出器具であって、前記注出口に前記注出口から前記袋状容器側に向う尖頭部を有する穿孔部材が設けられ、前記穿設部材には前記内容物が前記注出口へ通ずる流路が設けられていると共に、前記注出口の前記袋状容器と反対側には前記穿孔部材の中心軸の軸線と一致した中心軸を有する注出路が設けられ、前記注出口と前記固定部との間に前記穿孔部材を収納する中空室が設けられ、該中空室の下端部の外側に平面形状が環状の前記固定部を設けられていることを特徴とする請求項１に記載の注出器具。
【請求項２】
前記注出路の一部が、前記内容物を入れることのできる外部容器に設けられたノズルと嵌合状態に接続できる接続部であることを特徴とする請求項１に記載の注出器具。
【請求項３】
前記中空室が開口部を下方に向けたドーム状であって、前記中空室の頂上部に前記注出口が設けられていることを特徴とする請求項１又は２に記載の注出器具。
【請求項４】
前記注出口又は接続部の先端部には、着脱自在の閉塞栓が設けられていることを特徴とする請求項１乃至３のいずれか一つに記載の注出器具。
【請求項５】
前記固定部の下面には粘着剤からなる粘着層を有し、該粘着層の表面には前記固定部の平面形状と同じ形状の剥離紙が設けられていることを特徴とする請求項１乃至４のいずれか一つに記載の注出器具。
【発明の詳細な説明】
【技術分野】
【０００１】
この発明は、固形食品の摂取が困難な患者や高齢者に対して、経口又は経鼻、経胃、経十二指腸投与するための栄養剤や流動食等の流動性を有する内容物を封入した容器から、内容物を注出するために使用する注出器具に関するものである。
【背景技術】
【０００２】
従来から、栄養剤や流動食等の流動性を有する内容物を封入した容器として、軟質のプラスチックフィルムを主体とする袋体に、硬質のプラスチックで成形した筒状の注ぎ口を取付ると共に、この注ぎ口に取り外し自在のキャップを設けた袋状容器が知られている（たとえば、特許文献１を参照のこと）。
【０００３】
以上のような従来の注ぎ口を有する袋状容器は、注ぎ口を有しない単なる袋状容器に比べて、成形品である注ぎ口自体のコストが付加されるだけでなく、軟質のプラスチックフィルムに硬質のプラスチックの注ぎ口を高周波加熱により溶着することで両者を一体化するため、一体化のための製造コストが高いといった問題があった。
【０００４】
また、内容物にあっては、空気、酸素、光等により劣化するためバリア性を求められるものがある場合が多く、そのため、一時的に内容物が滞留する注ぎ口は高いバリア性が必要であったが、この点を解決するまでには至っていないという問題があった。
【先行技術文献】
【特許文献】
【０００５】
【特許文献１】特開２００８−１２７０２１号公報
【発明の概要】
【発明が解決しようとする課題】
【０００６】
そこで、この発明は、注ぎ口のない袋状容器に必要に応じて注ぎ口を取り付けて内容物を注出し、内容物を使い切ったら袋状容器から注ぎ口を取り外すことができる構造体を採用して、袋状容器自体の製造コストを低減すると共に、一つの注ぎ口を繰り返し使用することで、栄養剤や流動食等の流動性を有する内容物の投与にかかる総コストを低減することができ、かつ、高いバリア性を有する注出器具を提供することを課題とする。
【課題を解決するための手段】
【０００７】
上記課題を解決するため、請求項１に記載の発明は、栄養剤や流動食等の流動性を有する内容物が封入されている袋状容器から前記内容物を注出する注出口と、前記袋状容器に取り付けるための固定部とを有する注出器具であって、前記注出口に前記注出口から前記袋状容器側に向う尖頭部を有する穿孔部材が設けられ、前記穿設部材には前記内容物が前記注出口へ通ずる流路が設けられていると共に、前記注出口の前記袋状容器と反対側には前記穿孔部材の中心軸の軸線と一致した中心軸を有する注出路が設けられ、前記注出口と前記固定部との間に前記穿孔部材を収納する中空室が設けられ、該中空室の下端部の外側に平面形状が環状の前記固定部を設けられていることを特徴としている。
【０００８】
ここで、環状とは平面形状が円形状のものに限らず、閉じた輪であれば三角形、四角形等その他の形状を含むものとする。
【０００９】
請求項２に記載の発明は、請求項１に記載の構成に加え、前記注出路の一部が、前記内容物を入れることのできる外部容器に設けられたノズルと嵌合状態に接続できる接続部であることを特徴としている。
【００１０】
請求項３に記載の発明は、請求項１又は２に記載の構成に加え、前記中空室がドーム状であって、前記中空室の頂上部に前記注出口が設けられていることを特徴としている。
【００１１】
請求項４に記載の発明は、請求項１乃至３のいずれか一つに記載の構成に加え、前記注出口又は接続部の先端部には、着脱自在の閉塞栓が設けられていることを特徴としている。
【００１２】
請求項５に記載の発明は、請求項１乃至４のいずれか一つに記載の構成に加え、前記固定部の下面には粘着剤からなる粘着層を有し、該粘着層の表面には前記固定部の平面形状と同じ形状の剥離紙が設けられていることを特徴としている。
【発明の効果】
【００１３】
請求項１に記載の発明によれば、注出口に注出口から袋状容器側に向う尖頭部を有する穿孔部材が設けられ、穿設部材には内容物が注出口へ通ずる流路が設けられていると共に、注出口の袋状容器と反対側には穿孔部材の中心軸の軸線と一致した中心軸を有する注出路が設けられ、注出口と固定部との間に穿孔部材を収納する中空室が設けられ、該中空室の下端部の外側に平面形状が環状の固定部を設けられているので、袋状容器の本体部の外表面に固定部を粘着剤にて固定した後、注出口の袋状容器と反対側から吸引装置による真空圧による吸引力を与えると、穿孔部材の尖頭部が本体部の外表面を貫通して、尖頭部が本体部の内部に挿入されることになるから、本体部の内の内容物は尖頭部の流路から注出路を経て外部容器へと移動することになる。これにより、注ぎ口のない袋状容器に封入された内容物を注出することができる注出器具が提供でき、結果的に内容物が封入されている袋状容器自体の製造コストを低減することができため、安い内容物を消費者に提供できることになる。
【００１４】
また、内容物を使い切ったら固定部の粘着剤の粘着力に抗して注出器具を袋状容器から引き剥がすようにすれば、袋状容器から注出器具を取り外すことができるため、一つの注ぎ口を繰り返し使用することで、内容物の摂取又は投与にかかる総コストを低減することができる。
【００１５】
また、袋状容器と注出器具とが分離できる構造であるため、袋状容器に軟質のプラスチックフィルムを主体とする材料を使用し、注出器具に硬質のプラスチック材料を使用した場合にあっては、廃棄の際の分別が容易であるから内容物を摂取又は投与した後の処分の手間が軽減される。
【００１６】
請求項２に記載の発明によれば、請求項１に記載の構成による効果に加え、注出路の一部が、内容物を入れることのできる外部容器に設けられたノズルと嵌合状態に接続できる接続部であるので、外部容器のノズルを接続部に接続することで、簡単に袋状容器内の内容物を外部容器に移し替えることができる。
【００１７】
請求項３に記載の発明によれば、請求項１又は２に記載の構成による効果に加え、中空室が開口部を下方に向けたドーム状であって、中空室の頂上部に注出口が設けられているので、注出口より大きな内径を有する平面形状が環状の固定部が袋状容器に固定されることになるため、注出器具が袋状容器に強固に一体化されると共に、固定部の内径部と穿孔部材の尖頭部までの距離を大きくできる構造となっているため、袋状容器の本体部の注出器具が取り付けられた部分では、中空室内に吸引装置による真空圧による吸引力が作用した場合に、袋状容器の本体部と固定部との相対的な移動が生じない状態で中空室内の袋状容器の本体部の中央部が穿孔部材の尖頭部に強く引き寄せされることになり、袋状容器の本体部を尖頭部が貫通しやすい状態となる。
【００１８】
請求項４に記載の発明によれば、請求項１乃至３のいずれか一つに記載の構成による効果に加え、注出路又は接続部の先端部には、着脱自在の閉塞栓が設けられているので、一度に内容物の全量を摂取又は投与しない場合であっても、使用しないときは閉塞栓を閉塞し、使用するときに閉塞栓を開放することで、必要なときに必要なだけ内容物を注出することができるから、内容物を無駄なく使い切ることができる。
【００１９】
請求項５に記載の発明によれば、請求項１乃至４のいずれか一つに記載の構成による効果に加え、固定部の下面には粘着剤からなる粘着層を有し、該粘着層の表面には固定部の平面形状と同じ形状の剥離紙が設けられているので、固定部から剥離紙を剥がせば固定部に設けられた粘着剤の表面が露出するから、任意の袋状容器の外表面に固定部を押圧するだけで簡単に袋状容器に取り付けることができ、すぐに袋状容器内の内容物を注出することが可能となり、緊急時であっても慌てることなく内容物の摂取又は投与が行える。
【図面の簡単な説明】
【００２０】
【図１】この発明の実施の形態１に係る注出器具の中央縦断面図である。
【図２】この発明の実施の形態１に係る注出器具の底面図である。
【図３】この発明の実施の形態１に係る注出器具を袋状容器の本体部に固定した使用状態を示す中央縦断面図である。
【図４】この発明の実施の形態２に係る注出器具を袋状容器の本体部に固定した使用状態を示す中央縦断面図である。
【図５】この発明の実施の形態２に係る注出器具の中央縦断面である。
【発明を実施するための形態】
【００２１】
以下、この発明の実施の形態を、図面を参照しながら詳細に説明する。
【００２２】
［発明の実施の形態１］
【００２３】
図１は、この発明の実施の形態１に係る注出器具の中央縦断面図である。図２は、この発明の実施の形態１に係る注出器具の底面図である。図３は、この発明の実施の形態１に係る注出器具を袋状容器の本体部に固定した使用状態を示す中央縦断面図である。
【００２４】
この発明の実施の形態１に係る注出器具１は、最下部に栄養剤や流動食等の流動物を封入した袋状容器２の本体部３（図３を参照）に固定するための固定部４を有している。固定部４は環状をした平板であり、環状の内径部５から垂直に立ち上がった壁面部６を有し、その上端部には水平な天井部７が設けられている。天井部７の中央には天井部７を上下方向に貫通する注出口８が形成されている。注出口８の上方には、穿孔部材１４の中心軸の軸線と一致した中心軸を有する注出路１１が設けられており、この注出路１１の一部（先端部側）を外部容器９のノズル１０（図３、４を参照）の形状に合わせて、上方に行くに従って内径が徐々に大きくなるテーパ状をした接続部とすることで、注出路（接続部）１１とノズル１０とが嵌合状態で接続できるようにしている。これにより、特別な締め付け装置を必要とせず注出器具１１と外部容器９との接続が容易となる。
【００２５】
注出口８の下方には、固定部４、壁面部６、天井部７によって形成される中空室１２があり、この中空室１２には、固定部４側に向けて先細り状に形成された略二等辺三角形の平板を１枚又は２枚組み合わせた尖頭部１３を有する穿設部材１４が組み込まれている。具体的には、略二等辺三角形の平板の頂点部を天井部７と反対側（固定部４側）に向けて、その底辺部が注出口８が設けられている天井部７に固定されている。そして、略二等辺三角形の平板１４を２枚組み合わせる場合には、図１、２に示したように、２枚の略二等辺三角形の平板１４を直交させるようにするとよい。これにより、略二等辺三角形の平板１４が１枚の場合にはその表面に沿った軸方向の流路１５が、また、２枚の略二等辺三角形の平板１４を組み合わせた場合にはその表面の直交部に沿った軸方向の流路１５が形成される。
【００２６】
穿設部材１４の尖頭部１３の先端を環状の固定部４の下面１６より僅かに内側に位置させているため、尖頭部１３の先端の鋭利な部分が袋状容器２の本体部３に固定される前に損傷することを防止できるようになっている。
【００２７】
穿設部材１４は、穿設部材１４を除いた注出器具１の他の部分と一体成形してもよいし、それらの部分とは別に成形したものを接着してもよい。
【００２８】
そこで、この発明の実施の形態１に係る注出器具１を使用する場合には、図３に示したように、固定部４の下面１６に粘着剤を塗布して粘着層１７を形成した状態で、目的とする袋状容器２の本体部３に固定部４を押し付けることで、注出器具１が袋状容器２に固定される。なお、固定部４の下面１６には、予め粘着剤による粘着層１７を形成しておいて、その粘着層１７の表面に固定部４の平面形状と同じ形状の剥離紙（図示せず）を設けておくことも可能である。これにより、固定部４に粘着剤を塗布する作業を必要とせずに、単に粘着層１７から剥離紙を剥がすだけで直ぐに注出器具１を袋状容器２の本体部３に固定することができることになる。
【００２９】
次に、注出器具１が袋状容器２の本体部３に固定されたら、接続部１１の開口部１８へ外部容器９のノズル１０を差し込むようにすると、ノズル１０の外形部が接続部１１の内形部と嵌合状態で接続される。
【００３０】
次に、ノズル１０の外形部が接続部１１の内形部にしっかりと嵌合されていることを確認して、外部容器９に設けられている吸引装置（図示せず）を作動させて、中空室１２内が真空になるような吸引力を作用させる。すると、その吸引力によって中空室１２の真下の袋状容器２の本体部３を構成している軟質のプラスチックフィルムが注出口８側に引き寄せられ、穿設部材１４の尖頭部１３に当たり、ついには軟質のプラスチックフィルムが尖頭部１３の先端の鋭利な部分で突き破られることになる。これにより、袋状容器２に封入されていた内容物１９の一部が突き破られてできた開口２０から注出され、注出口８、接続部１１を介して注出器具１から外へ出ていくことができる。接続部１１には外部容器９のノズル１０が接続されているため、注出器具１から出た内容物１９はノズル１０を介して外部容器９へと取り込まれることになる。
【００３１】
以上のように、この発明の実施の形態１に係る注出器具１によれば、外部容器９のノズル１０を接続部１１に接続することで、簡単に袋状容器２内の内容物１９を外部容器９に移し替えることができる。また、予め固定部４の下面１６に形成した粘着層１７から剥離紙を剥がせば固定部４に設けられた粘着層１７の表面が露出するから、任意の袋状容器２の本体部３の外表面に固定部４を押圧するだけで簡単に袋状容器２に取り付けることができ、すぐに袋状容器２内の内容物１９を注出することが可能となり、緊急時であっても慌てることなく内容物１９の摂取又は投与が行える。
【００３２】
この発明の実施の形態１に係る注入器具１を使って、袋状容器２に封入されていた内容物１９の全量を注出したら、注出器具１の固定部４の下面１６の粘着剤１７の粘着力に抗して固定部４を袋状容器２の本体部３から引き剥がすことで、注出器具１を袋状容器２から取り外す。取り外した注出器具１は、固定部４の下面１６の粘着剤１７により、新たな別の袋状容器２に取り付けることができるから、繰り返して使用できることになる。したがって、栄養剤や流動食等の流動性を有する内容物１９が封入されている袋状容器２自体の製造コストを低減することができるため、結果として安い内容物１９を消費者に提供できる。
【００３３】
［発明の実施の形態２］  
【００３４】
図４は、この発明の実施の形態２に係る注出器具を袋状容器の本体部に固定した状態を示す中央縦断面図である。図５は、この発明の実施の形態２に係る注出器具の中央縦断面図である。
【００３５】
この発明の実施の形態２に係る注出器具１は、中空室１２がドーム状をしている。中空室１２の頂上部２１には注出口８が設けられており、注出口８の上方には、穿孔部材１４の中心軸の軸線と一致した中心軸を有する注出路１９が設けられている。注出路１１の一部（先端部側）には、栄養剤や流動食等の流動性を有する内容物を入れることのできる外部容器９に設けられたノズル１０が接続できる接続部を設けるとよい。
【００３６】
この発明の実施の形態２に係る注出器具は、中空室１２がドーム状であって、中空室１２の頂上部２１に注出口８が設けられているので、注出口８より大きな内径を有する環状の固定部４が袋状容器２に固定されることになるため、注出器具１が袋状容器２に強固に一体化されると共に、固定部４の内径部と穿孔部材１４の尖頭部１３までの距離を大きくできる構造となっているため、袋状容器２の本体部３の注出器具１が取り付けられた部分では、中空室１２内に吸引装置による真空圧による吸引力が作用した場合に、袋状容器２の本体部３と注出器具１の固定部４との相対的な移動が生じない状態で中空室１２内の袋状容器２の本体部３の中央部が穿孔部材１４の尖頭部１３に強く引き寄せされることになり、袋状容器２の本体部３を尖頭部１３が貫通しやすい状態となる。
【００３７】
また、注出口８の袋状容器２と反対側には、穿孔部材１４の中心軸の軸線と一致した中心軸を有する注出路（接続部）１１が設けられているので、図５に示したように、注出路（接続部）１１を斜め上方や水平方向に向けるといったように、注出路（接続部）１１の形状や構造を変えることによって、袋状容器２内の内容物１８を外部容器９に移し替える際の環境の変化に応じた取り扱いが容易なものとなる。
【００３８】
また、注出路（接続部）１１の先端部には、必要に応じて着脱自在の閉塞栓２２を設けておくとよい。これにより、一度に内容物１８の全量を摂取又は投与しない場合であっても、使用しないときは閉塞栓２２を閉塞し、使用するときに閉塞栓２２を開放することで、必要なときに必要なだけ内容物１９を注出することができるから、内容物１９を無駄なく使い切ることができる。
【００３９】
その他の構成については、この発明の実施の形態１と同様であるので、同じ構成には同じ符号を付してその説明を省略する。
【００４０】
なお、この発明の実施の形態１、２では、栄養剤や流動食等の流動性を有する内容物を封入した袋状容器２に使用する注出器具について説明したが、この発明は袋状容器２に封入されている内容物としては、栄養剤や流動食等に限らず、袋状容器２の本体部３が突き破られてできた開口２０から注出可能なものであれば、ジュース類やレトルト食品等であってもよいことは勿論である。
【００４１】
さらに、袋状容器２の本体部３は、軟質のプラスチックフィルムであれば、ヒートシール性のあるポリエチレンフィルムの一層又は多層構造のものや、アルミ箔をラミネートしたポリエステルフィルムの内側にポリエチレンフィルムを積層したものであってもよく、その形態としては内容物が入っている状態で自立できるものであっても、自立できないものであってもよい。
【符号の説明】
【００４２】
１  注出器具
２  袋状容器
３  本体部
４  固定部
７  天井部
８  注出口
９  外部容器
１０  ノズル
１１  注出路（接続部）
１２  中空室
１３  尖頭部
１４  穿設部材
１７  粘着層
１９  内容物
２１  頂上部
２２  閉塞栓
【図１】
2011178452.tif 000003
【図２】
2011178452.tif 000004
【図３】
2011178452.tif 000005
【図４】
2011178452.tif 000006
【図５】
2011178452.tif 000007